(57)【要約】気管チューブの封止カフ１０用のバルブ２０は、ネオプレン又はニトリル製のＭＲＩセーフな弾性部材４２によってバルブシール３６，３７に押し付けられるバルブ部材４０を有する。バルブは、バルブ部材が変位させられる２部分構成のアクチュエータ７０を含む。使用前の保管中に、バルブ部材は比較的緩んだ状態をとる閉位置にある。シリンジ等を挿入することによってバルブが最初に開くとき、２部分アクチュエータ構成は前方に移動し、バルブ部材を離座して流れを可能にする。このことは、アクチュエータの２部分７２及び７３における傾斜表面８８及び９２に作用して前方部分を僅かに回転させる。シリンジを取り外してバルブ閉じを可能にするとき、アクチュエータの前方部分は、バルブを閉じる動作位置におけるハウジング２１の表面３４に係止する。【選択図】図２
2018505743.tif 000002
【特許請求の範囲】
【請求項１】
外側のハウジング（２１）と、弁座（３６,３７）と、前記弁座に対して封止係合する又は離座するよう前記ハウジング（２１）に沿って変位可能であるバルブ部材（４０）と、前記バルブ部材（４０）を前記弁座（３６,３７）に押し付けるよう構成される弾性部材（４２）とを備えるバルブ（２０）であって、前記バルブ（２０）は、前記バルブ部材（４０）から前記ハウジング（２１）の開口（２５′）まで延在するアクチュエータ構成（７０）を備え、また前記アクチュエータ構成（７０）は、前記バルブが閉鎖される初期位置から、やはり前記バルブが閉鎖される第２位置まで変位可能であり、その後に前記第２位置から、前記バルブ部材（４０）が前記弾性部材（４２）の作用に抗して前記弁座（３６,３７）から離座する変位をさせられて、前記バルブを開放しかつ前記ハウジング（２１）を通過する流れを可能にする第３位置に変位可能な第１部分（７３）を有し、前記アクチュエータ構成（７０）の前記第１部分（７３）は、釈放されるとき前記第２位置に復帰する、ことを特徴とするバルブ。
【請求項２】
請求項１記載のバルブにおいて、前記アクチュエータ構成（７０）は、前記第１部分（７３）に対して軸線方向に変位可能な第２部分（７２）を有し、また前記バルブ（２０）は、前記第２部分（７２）を前記ハウジング（２１）に対して軸線方向に押し込むことにより開放される、ことを特徴とするバルブ。
【請求項３】
請求項２記載のバルブにおいて、前記第２部分（７２）の前端部及び前記第１部分（７３）の後端部は係合傾斜面（８８及び９２）を有し、これにより前記第２部分（７２）の前方変位が前記第１部分（７３）に対して回転力を付与することができる、ことを特徴とするバルブ。
【請求項４】
請求項２又は３記載のバルブにおいて、前記第２部分（７２）は、前記ハウジング（２１）の一部に沿う長手方向溝（３２）に係合し、これにより、前記第２部分（７２）の長手方向変位を可能にするが、回転運動を阻止できるように構成された少なくとも１個の外方突出部材（８５）を有する、ことを特徴とするバルブ。
【請求項５】
請求項２〜４のうちいずれか一項記載のバルブにおいて、前記第１部分（７３）は、前記バルブ（２０）が閉鎖されているとき回転運動を阻止されるよう前記ハウジング（２１）の一部に沿う対応の長手方向溝（３３）に係合するよう構成された複数個の外方突出部材（９１）を有し、しかし、前記アクチュエータ構成（７０）が係合されるとき前記溝（３３）から離脱してバルブを開放し、また前記アクチュエータ構成（７０）を釈放されるとき前記部材（９１）が係止形成部（３４）に係合する位置に前記第１部分（７３）を回転させることができるようにし、これにより前記第１部分（７３）を前記第２位置に保持する、ことを特徴とするバルブ。
【請求項６】
請求項１〜５のうちいずれか一項記載のバルブにおいて、前記弾性部材（４２）は非金属材料である、ことを特徴とするバルブ。
【請求項７】
請求項６記載のバルブにおいて、前記弾性部材（４２）はドラム形状を有する、ことを特徴とするバルブ。
【請求項８】
外側のハウジング（２１）と、弁座（３６,３７）と、前記弁座に対して封止係合する又は離座するよう前記ハウジング（２１）に沿って変位可能であるバルブ部材（４０）と、前記バルブ部材（４０）を前記弁座（３６,３７）に押し付けるよう構成される弾性部材（４２）とを備えるバルブ（２０）であって、前記外側のハウジング（２１）は内側係止形成部（３４）を有し、前記バルブは、前記バルブ部材（４０）から前記ハウジング（２１）の開口（２５′）まで延在するアクチュエータ構成（７０）を備え、或る部材を前記ハウジング（２１）の前記（２５′）内に突入させることによって前記アクチュエータ構成（７０）を変位させることができるようにし、前記アクチュエータ構成（７０）は、前記ハウジング（２１）における前記係止形成部（３４）に係合するよう構成された第１部分（７３）を有し、前記アクチュエータ構成（７０）の前記第１部分（７３）は、前記バルブが閉鎖される初期位置から、やはり前記バルブが閉鎖される第２位置であって、かつ前記アクチュエータ構成（７０）が前記係止形成部（３４）に係合して前記初期位置に戻るその後の変位を阻止する、該第２位置まで変位可能であり、前記アクチュエータ構成（７０）の前記第１部分（７３）は、前記第２位置から前記係止形成部（３４）を離れ、前記バルブ部材（４０）が前記弾性部材（４２）の作用に抗して前記弁座（３６,３７）から離座する変位をさせられて、前記ハウジング（２１）を通過する流れを可能にする第３位置に変位可能であり、また前記アクチュエータ構成（７０）の前記第１部分（７３）は、釈放されるとき前記係止形成部（３４）に係合する前記第２位置に復帰するよう構成されている、ことを特徴とするバルブ。
【請求項９】
外側のハウジング（２１）と、弁座（３６,３７）と、前記弁座に対して封止係合する又は離座するよう前記ハウジング（２１）に沿って変位可能であるバルブ部材（４０）と、前記バルブ部材（４０）を前記弁座（３６,３７）に押し付けるよう構成される弾性部材（４２）とを備えるバルブ（２０）であって、前記ハウジング（２１）は内側係止形成部（３４）を有し、前記バルブは、前方コンポーネント（７３）及び後方コンポーネント（７２）を有するアクチュエータ構成（７０）を備え、前記後方コンポーネント（７２）は、前記ハウジング（２１）に対して長手方向に変位可能であり、前記前方コンポーネント（７３）は、前記ハウジング（２１）に対して長手方向に変位可能であり、かつ最初に作動するとき前記ハウジングに対して前記内側係止形成部（３４）に接触する割り出し係止位置に角度的に変位可能であり、前記前方コンポーネント（７３）は、或る部材を前記ハウジング（２１）の開口（２５′）内に突入させて前記アクチュエータ構成（７０）の前記後方コンポーネント（７２）に接触して変位させることによって、前記バルブ部材（４０）を前記弁座（３６,３７）から離座させて前記バルブを前記係止位置における後方位置に開放させる前方の第３位置まで前方に変位可能である、ことを特徴とするバルブ。
【請求項１０】
医療外科チューブであって、前記医療外科チューブを包囲する膨張可能な封止カフ（１０）、前記カフ（１０）の内部に連通する膨張ライン（１３）、請求項１〜９のうちいずれか一項記載のバルブ（２０）を備え、前記バルブ（２０）は、前記膨張ライン（１３）に接続し、また前記カフ（１０）に対するガス流の流入又は流出を可能にする又は阻止するよう動作可能に構成されている、医療外科チューブ。
【発明の詳細な説明】
【技術分野】
【０００１】
本発明は、外側のハウジングと、弁座と、前記弁座に対して封止係合する又は離座するよう前記ハウジングに沿って変位可能であるバルブ部材と、前記バルブ部材を前記弁座に押し付けるよう構成される弾性部材とを備える種類のバルブに関する。
【背景技術】
【０００２】
気管チューブのような種々の医療外科チューブは、患者側端部近くに膨張可能な封止カフを有し、この封止カフは膨張して、チューブの外側面を気管のような体腔で封止することができる。このカフはチューブに沿って延在する小ボア管腔（ルーメン）を介して膨張及び収縮し、この小ボア管腔は、装置側端部近くで膨張インジケータ及びバルブによって終端する膨張ラインに接続する。このバルブは、使用中にカフから空気漏れを阻止するよう閉鎖状態を維持するが、シリンジ又は同様な膨張デバイスのノーズ部をバルブ内に挿入してバルブ素子を弁座から離れるよう変位させ、また封止カフを膨張又は収縮させるよう空気をバルブに対して供給又は排出させることができる。空気がカフから漏出しないよう、またチューブを取り外す必要があるときのように、カフが容易に収縮することを可能にする開放を行うことができるよう、バルブが信頼性高く機能することは重要である。通常、これらバルブは、螺旋金属ワイヤの形式としたばね素子を有し、バルブ素子を着座させた閉鎖位置に押圧する。このようなばね素子を有するバルブにおける１つの問題点は、ＭＲＩスキャナとは併存不能となるおそれがある点である。弾性プラスチック材料のような非金属製のばね素子を使用することができるが、信頼性高く製造するのが困難である。とくに、熱可塑性プラスチックは、成形型からの取出し後、又は殺菌若しくは保管後の経年劣化の結果として、収縮を受け易い。
【０００３】
バルブは、医療外科チューブの封止カフの他に、他の用途でも使用される。
【発明の概要】
【発明が解決しようとする課題】
【０００４】
本発明の目的は、従来に代わるバルブ及びこのようなバルブを有する医療外科チューブを得るにある。
【課題を解決するための手段】
【０００５】
本発明の第１態様によれば、冒頭で特定した種類のバルブを提供し、本発明バルブは、前記バルブ部材から前記ハウジングの開口まで延在するアクチュエータ構成を備え、また前記アクチュエータ構成は、前記バルブが閉鎖される初期位置から、やはり前記バルブが閉鎖される第２位置まで変位可能であり、その後に前記第２位置から、前記バルブ部材が前記弾性部材の作用に抗して前記弁座から離座する変位をさせられて、前記バルブを開放しかつ前記ハウジングを通過する流れを可能にする第３位置に変位可能な第１部分を有し、前記アクチュエータ構成の前記第１部分は、釈放されるとき前記第２位置に復帰する、ことを特徴とする。
【０００６】
アクチュエータ構成は、好適には、前記第１部分に対して軸線方向に変位可能な第２部分を有し、また前記バルブは、前記第２部分を前記ハウジングに対して軸線方向に押し込むことにより開放される。前記第２部分の前端部及び前記第１部分の後端部は、好適には、係合傾斜面を有し、これにより前記第２部分の前方変位が前記第１部分に対して回転力を付与することができる。前記第２部分は、前記ハウジングの一部に沿う長手方向溝に係合し、これにより、前記第２部分の長手方向変位を可能にするが、回転運動を阻止できるように構成された少なくとも１個の外方突出部材を有することができる。前記第１部分は、好適には、前記バルブが閉鎖されているとき回転運動を阻止されるよう前記ハウジングの一部に沿う対応の長手方向溝に係合するよう構成された複数個の外方突出部材を有し、しかし、前記アクチュエータ構成が係合されるとき前記溝から離脱してバルブを開放し、また前記アクチュエータ構成が釈放されるとき前記部材が係止形成部に係合する位置に前記第１部分を回転させることができるようにし、これにより前記第１部分を前記第２位置に保持する。前記弾性部材は、好適には、非金属材料である。前記弾性部材はドラム形状を有することができる。
【０００７】
本発明の他の態様によれば、外側のハウジングと、弁座と、前記弁座に対して封止係合する又は離座するよう前記ハウジングに沿って変位可能であるバルブ部材と、前記バルブ部材を前記弁座に押し付けるよう構成される弾性部材とを備えるバルブを提供し、本発明バルブは、前記外側のハウジングは内側係止形成部を有し、前記バルブは、前記バルブ部材から前記ハウジングの開口まで延在するアクチュエータ構成を備え、或る部材を前記ハウジングの前記内に突入させることによって前記アクチュエータ構成を変位させることができるようにし、前記アクチュエータ構成は、前記ハウジングにおける前記係止形成部に係合するよう構成された第１部分を有し、前記アクチュエータ構成の前記第１部分は、前記バルブが閉鎖される初期位置から、やはり前記バルブが閉鎖される第２位置であって、かつ前記アクチュエータ構成が前記係止形成部に係合して前記初期位置に戻るその後の変位を阻止する、該第２位置まで変位可能であり、前記アクチュエータ構成の前記第１部分は、前記第２位置から前記係止形成部を離れ、前記バルブ部材が前記弾性部材の作用に抗して前記弁座から離座する変位をさせられて、前記ハウジングを通過する流れを可能にする第３位置に変位可能であり、また前記アクチュエータ構成の前記第１部分は、釈放されるとき前記係止形成部に係合する前記第２位置に復帰するよう構成されている、ことを特徴とする。
【０００８】
本発明のさらに他の態様によれば、外側のハウジングと、弁座と、前記弁座に対して封止係合する又は離座するよう前記ハウジングに沿って変位可能であるバルブ部材と、前記バルブ部材を前記弁座に押し付けるよう構成される弾性部材とを備えるバルブを提供し、本発明バルブは、前記ハウジングは内側係止形成部を有し、前記バルブは、前方コンポーネント及び後方コンポーネントを有するアクチュエータ構成を備え、前記後方コンポーネントは、前記ハウジングに対して長手方向に変位可能であり、前記前方コンポーネントは、前記ハウジングに対して長手方向に変位可能であり、かつ最初に作動するとき前記ハウジングに対して前記内側係止形成部に接触する割り出し係止位置に角度的に変位可能であり、前記前方コンポーネントは、或る部材を前記ハウジングの開口内に突入させて前記アクチュエータ構成の前記後方コンポーネントに接触して変位させることによって、前記バルブ部材を前記弁座から離座させて前記バルブを前記係止位置における後方位置に開放させる前方の第３位置まで前方に変位可能である、ことを特徴とする。
【０００９】
本発明のさらに別の態様によれば、医療外科チューブを包囲する膨張可能な封止カフ、前記カフの内部に連通する膨張ライン、特許請求の範囲の先行する請求項のうちいずれか一項記載のバルブを備え、前記バルブは、前記膨張ラインに接続し、また前記カフに対するガス流の流入又は流出を可能にする又は阻止するよう動作可能に構成されている、該医療外科チューブを提供する。
【００１０】
本発明によるバルブを有する気管チューブを、以下に実施例として添付図面につき説明する。
【図面の簡単な説明】
【００１１】
【図１】気管切開チューブの側面図である。
【図２】作動前の初期状態におけるバルブの縦断面図である。
【図３】図２の矢印III方向に沿って見たバルブの端面図である。
【図４】バルブハウジングの内面における一部の拡大側面図である。
【図５】ハウジング内における前方のアクチュエータコンポーネントの斜視図である。
【図６】ハウジング内における前方及び後方のアクチュエータコンポーネントの側面図である。
【図７】図２に示す初期状態に続く状態におけるバルブの縦断面図である。
【図８】図２に示す初期状態に続く状態におけるバルブの縦断面図である。
【図９】図２に示す初期状態に続く状態におけるバルブの縦断面図である。
【発明を実施するための形態】
【００１２】
図１につき説明すると、気管切開チューブは、その長さに沿って延在するボア２を有する管状のシャフト１を含む。チューブには、比較的真直ぐな患者側端部部分３と、湾曲した中間部分５によって連結される比較的真直ぐな装置側端部部分４とが形成され、患者側端部６及び装置側端部７が互いに約１００゜の角度をなす。患者側端部６の近傍において、チューブは、シャフト１を包囲する膨張可能なカフ１０によって設けられる封止手段を有する。カフ１０は、高容量／低圧型の種類であり、収縮した状態にあるときに比較的柔軟な形状を有するが、比較的低圧で気管の内径よりもほんの僅かに大きい直径になるまで充填し、低圧で気管の内側に接触する。カフ１０は、ＰＶＣ又はポリウレタンのようなプラスチック材料から所望の膨張形状に成形される。カフ１０は、両側の端部でシャフト１に取り付け、シャフトの外面における開口１１上に配置させ、この開口１１は、シャフトに沿ってシャフトの壁厚内に延びている膨張ルーメン１２に達する。膨張ルーメン１２は、チューブの後方端部７の近傍で小ボア膨張ライン１３に接続し、この小ボア膨張ライン１３は、膨張インジケータ１４及びバルブ２０で終端する。
【００１３】
以下に図２〜６につき説明すると、バルブ２０は、ほぼ円筒形の形状であり、また後方部分２２、前方部分２３、並びにこれら後方及び前方の部分間における短くかつ半径方向に突出する環状の外側フランジ２４がある管状形状の外側ハウジング２１を有する円形断面形状である。これら前方及び後方の部分２３及び２２は、それぞれ一定の外径を有し、前方部分は後方部分よりも直径が僅かに大きい。ハウジング２１の後端部２５はルアー（luer）・テーパ付きボア２６に開口し、このテーパ付きボア２６は、後方部分２２の長さの半分よりも僅かに大きい範囲にわたり延在し、外側フランジ２４の後部あたりに位置する内側棚部２８まで一定直径セクション２７として連続する。棚部２８は、後端部２５における開口における直径のほぼ半分の直径を有する円形開口を画定する。棚部２８の前方におけるハウジング２１の前方部分２３を貫通するボアは、後方セクション３１及び前方セクション３５に分割される。棚部２８に直ぐ隣接する後方セクション３１は、ほぼ円形断面であり、棚部の後側におけるセクション２７の直径とほぼ等しい直径を有する。しかし、棚部２８に隣接する後方セクション３１は、図４に最もよく示されているように、２組の長手方向溝セット３２及び３３とした形式の表面形状部によって分断され、またこれら溝セット３２及び３３はハウジングの周りに互いに交互に配列される。一方の溝セット３２は内側棚部２８の前面まで延在し、他方の溝セット３３は、ハウジングに沿う中央領域に沿うほぼ中間あたりに位置する棚部３４の形式とした係止形成部から前方に延在する。２組の溝セット３２及び３３は、後で明確になる案内、割り出し及びカムの機能を果たすよう構成する。
【００１４】
前方セクション３５は、直径がより大きく、また後方セクション３１からは前方に対面する段差３６によって分割され、この段差３６は内面周りに短く前方に突出する壁３７を有する。この段差３６及び壁３７はバルブの着座部をなす。
【００１５】
バルブ部材４０は、３つの部分、すなわち、ポリエステルのような硬質プラスチック製のコア４１と、ニトリル又はネオプレンのような非金属伸縮性材料製のドラム状の弾性部材４２と、及びニトリルのような軟質圧縮可能材料製の封止リング４３とから形成する。コア４１は、半径方向に突出する中央のディスク４４と、軸線方向後方に突出する第１の後方ステム４５と、軸線方向前方に突出する第２の前方ステム４６とを有する。前方ステム４６は、ディスク４４の前面に形成した半径方向に延在する溝４８に連通するよう、前方ステムの長さに沿って延在する溝４７を有する。弾性部材４２はディスク４４の前面に衝合して前方ステム４６に支持及び保持される。溝４７及び４８は、弾性部材４２の内側とコア４１の外側との間における空気の自由な流れを可能にする。封止リング４３は、ディスク４４の外端縁周りに形成した段差４９に支持され、封止リングの後面は、段差３６及び壁４７によって生ずる弁座に係合する。バルブ部材４０は、前方端部のキャップ６０によってハウジング２１内に保持される。キャップ６０は、後端部でハウジング２１の前端部内に突入しかつ結合される外側段差付きスリーブ６１を有し、この外側段差付きスリーブ６１はハウジングの前端部周りの段差形成部１２１に係合する。キャップ６０の前端部は、中心ボア６３及びテーパ付き外面を有する縮径した管状延長部６２の形式であり、外面は前端部に向かって直径が増大する。管状延長部６２は、膨張インジケータ１４から延びているカフ膨張ライン１３の一方の端部を受け止めるよう作用する。
【００１６】
バルブ部材４０は、アクチュエータ組立体７０によって弾性部材４２の弾性に抗してハウジング２１内で前方に変位することができ、封止リング４３を弁座３６及び壁３７から離座し、これにより封止リングと弁座との間で溝４７及び４８に沿ってガスが流動することができる。
【００１７】
アクチュエータ組立体７０は、３つのコンポーネント、すなわち、アダプタ７１と、後方カムコンポーネント７２と、及び前方カムコンポーネント７３とを有する。
【００１８】
アダプタ７１は、中空の内部７４、円形断面及び開放前端部７５を有するほぼ缶状形状である。アダプタ７１の後端部７６は、内部７４に開口する半円形開口７８を有する側方のフロア７７によって部分的に閉鎖されている。アダプタ７１は、フロア７７の内側面と後方カムコンポーネントの後端部における円筒状のシャフト８１の後端部８０との間で接着剤、溶剤又は熱接合によって後方カムコンポーネント７２の後端部に取り付けられる。シャフト８１の直径はアダプタ７１の内径よりも小さく、これによりシャフトの外側とアダプタの内側との間に環状ギャップ８２が残る。このことにより、アダプタ７１と後方カムコンポーネント７２との間に、開口７８、環状ギャップ８２及びアダプタの開放前端部７５を経由する、ガス経路を生ずる。後方カムコンポーネント７２の前端部（図６に最も明示されている）は、テーパ付き部分８４によってシャフト８１に結合された中空円筒状のヘッド８３で拡大されている。ヘッド８３の環状外面は、６個の外方突出部材を有し、これら外方突出部材は、ヘッドの周縁周りに等間隔で離間するほぼ長方形断面の短いスタッド８５の形式である。短い軸線方向のボア８６は、ヘッド８３に沿って延在し、前端部で開放し、また後端部で閉鎖する。ヘッド８３の前端面８７は、６個のＶ字状突出部８８によって形成される鋸歯状形態を有する形状であり、Ｖ字状突出部８８の頂点はスタッド８５に整列する。
【００１９】
前方カムコンポーネント７３は図５に最もはっきりと示されている。この前方カムコンポーネントは、このコンポーネント周縁の周りに等間隔で離間する３個の半径方向突出ブレード９１を持つ円筒形形状の主本体９０を有する。これらブレード９１はほぼ長方形であり、それぞれが軸線に対して約６０゜の角度θで傾斜する後方に対向する端面９２を有する。閉鎖後端部を有する軸線方向のボア９３（図２参照）は主本体９０の大部分に沿って前端部に向かって延在する。ボア９３の長さは、バルブ部材７０のコア４１における後方ステム４５の長さと同一であり、ボアの直径はステムを受け入れて自由に摺動嵌合できるような直径である。前方カムコンポーネント７３の後端部は、円形断面の短く軸線方向に突出するスピンドル９４を有し、このスピンドル９４は後方カムコンポーネント７２のボア８６内に自由に摺動嵌合するよう収容される。
【００２０】
使用前の図２に示すような初期位置において、バルブ部材４０は着座及び閉鎖状態にあり、アクチュエータ組立体７０は最後方位置に位置付けられる。この位置において、後方カムコンポーネント７２のスタッド８５の後端部は内側棚部２８の前方側面に係合し、前方カムコンポーネント７３のスピンドル９４は後方コンポーネントのボア８６内に完全に突入する。この状態において、後方コンポーネント７２の６個のスタッド８５及び前方コンポーネント７３の３個のブレード９１は、ハウジング２１内部周りに形成した対応する長手方向溝３２内に各個に位置する。このことは、ハウジング２１内でコンポーネント７２及び７３が相対的角度変位するのを阻止するが、軸線方向の変位は阻止しない。この位置において、前方カムコンポーネント７３の前端部はバルブコア４１のディスク４４における後方対向面から離間し、またバルブステム４５の後端部は前方カムコンポーネントにおけるボア９３の閉鎖端部から同一距離だけ離間する。
【００２１】
先ずシリンジ又は他の部材をハウジング２１の後端部内に挿入することによってバルブが作動させられるとき、アダプタ７１に係合して、またアクチュエータ組立体７０を前方に押す。前方カムコンポーネント７３の変位は、前方カムコンポーネント７３をバルブコア４１に接触及び係合させ、また次いでバルブ部材４０を前方に変位させ、及び封止リング４３を棚部３６及び壁３７から離座させる。この時点において、空気又は他のガスのような流体が、アダプタ７１内を経て、アクチュエータ組立体７０の外側面周り、封止リング４３と弁座３６，３７との間、バルブ部材４０内の溝４７，４８を経由してバルブに沿い流動し、キャップ６０内のボア６３から流出することができ、又はその逆方向に流動することができる。アクチュエータ組立体７０のこの前方変位中に、組立体のコンポーネント７２及び７３は互いにまたハウジング２１に対して相対角度変位は生じない。
【００２２】
シリンジ又は他の部材によって加わる圧力が減少又は除去されるとき、部材４２の弾性がバルブ部材４０及びアクチュエータ組立体７０を後方に押す。この前方位置において、前方カムコンポーネント７３のブレード９１は後方溝セット３２によって拘束されず、後方カムコンポーネント７２に対して一方向に自由に相対回転する。後方カムコンポーネント７２の前端部８７におけるＶ字状形成部８８は、前方カムコンポーネント７３のブレード９１における後端部９２の傾斜面に係合して連係動作する傾斜面を与え、前方カムコンポーネント７３を後方カムコンポーネントに対して角度的に一方向に押圧する。このことは、ブレード９１を後方溝セット３２に対する整列状態から変位させ、また他方の溝セット３３の下端部における係止形成部又は棚部３４に整列させる。バルブ部材４０がさらに後方に移動するにつれ、前方カムコンポーネント７３は棚部３４に休止するようになり、図８に示す位置においてそれ以上の後方移動を阻止される。実際、前方カムコンポーネント７３は、コンポーネントとハウジング２１内の内面形成部との間におけるカム作用係合によって約３０゜にわたる割り出し操作又は回転がなされている。この第２位置において、封止リング４３は棚部３６及び壁３７に封止状態となるよう再び着座し、バルブを通過するいかなる流れをも阻止する、すなわち、バルブが封止又は閉鎖される。弾性部材４２は、前方カムコンポーネント７３を棚部３６に押圧保持する僅かな圧力を及ぼし、封止リング４３は、図２に示す初期位置におけるような着座部に対する緊密な圧縮状態にはならない。これは、バルブの通常封止状態又は第２位置であり、バルブは図２に示す初期状態からバルブが作動し、また開放する初回動作に続いて図８に示す第２位置に切り替わる。
【００２３】
空気を封止カフ１０に追加するよう、又は空気を封止カフ１０から除去するようバルブを開くのが必要であるとき、シリンジ（図示せず）のノーズ部をバルブハウジング２１の後端部２５内に挿入する。アダプタ７１の後端部のボア２６，２７に沿う位置は、シリンジのノーズ部の前端部が係合してバルブを開くよう変位してから、シリンジのノーズ部の外側テーパ面がボアにおけるテーパ面に封止摺動嵌合を生ずるような位置とする。シリンジのノーズ部がボア２６内で封止されるとき、アクチュエータ組立体７０はバルブ部材４０に対して図９に示すような第３位置をとり、空気をバルブ内で流動させ、封止カフ１０を膨張又は収縮させることができる。シリンジを取り外すとき、バルブは図８に示す閉鎖又は封止した第２位置に復帰し、前方又は後方のカムコンポーネント７３及び７２のそれ以上のいかなる相対回転をも生じない。
【００２４】
本発明の構成は非金属製のＭＲＩ適合可能な弾性素子４２を使用できるが、バルブにおける弾性素子は普通の螺旋状金属ワイヤばねとすることができる。本発明は、２部分７２及び７３構成のアクチュエータを提供し、一方の部分７３が初期作動後に動作位置に係止される。この構成は、いかなる寸法変化、とくに、殺菌又は長期間保管後の経年劣化によって引き起こされるような経時的に生ずるおそれがあるバルブのプラスチック製コンポーネントの収縮をも補償することができる。バルブコンポーネントは、射出ブロー成形のような普通の技術を用いて容易に製造することができる。本発明は、バルブの性能に影響を与えることなく、コンポーネント間の公差変動を許容し、これにより製造コストを最小限に維持することができる。
【符号の説明】
【００２５】
１    シャフト
２    ボア
３    患者側端部部分
４    装置側端部部分
５    中間部分
６    患者側端部
７    装置側端部
１０    カフ
１１    開口
１２    膨張ルーメン
１３    小ボア膨張ライン
１４    膨張インジケータ
２０    バルブ
２１    （外側）ハウジング
２２    後方部分
２３    前方部分
２４    外側フランジ
２５    後端部
２６    テーパ付きボア
２７    一定直径セクション
２８    内側棚部
３１    後方セクション
３２    溝セット
３３    溝セット
３４    棚部
３５    前方セクション
３６    段差
３７    壁
４０    バルブ部材
４１    コア
４２    弾性部材
４３    封止リング
４４    ディスク
４５    後方ステム
４６    前方ステム
４７    溝
４８    溝
６０    キャップ
６１    外側段差付きスリーブ
６２    管状延長部
６３    中心ボア
７０    アクチュエータ組立体
７１  アダプタ
７２    後方カムコンポーネント
７３    前方カムコンポーネント
７４    内部
７５    開放前端部
７６    後端部
７７    フロア
７８    開口
８１    シャフト
８２    環状ギャップ
８３    ヘッド
８５    スタッド
８６    ボア
８７    前端面
８８    Ｖ字状突出部
９０    主本体
９１    半径方向突出ブレード
９２    端面
９３    ボア
９４    スピンドル
【図１】
2018505743.tif 000003
【図２】
2018505743.tif 000004
【図３】
2018505743.tif 000005
【図４】
2018505743.tif 000006
【図５】
2018505743.tif 000007
【図６】
2018505743.tif 000008
【図７】
2018505743.tif 000009
【図８】
2018505743.tif 000010
【図９】
2018505743.tif 000011
【国際調査報告】
2018505743.tif 000012
2018505743.tif 000013
2018505743.tif 000014